(57)【要約】【課題】ボールがダイヤルの凹凸の凹部に位置している状態でボールががたつかないようにし、かつボール移動時の摩擦を大幅に低減して、操作感触、性能の向上を図る。【解決手段】ダイヤル２４に周方向に配列形成された凹凸２４ｂにコイルバネ３２によってボール３１を押し付ける構造のダイヤルスイッチのクリック機構において、ボール３１をボールホルダ２９に貫通形成したガイド穴２９ｃに収容し、コイルバネ３２はボールホルダ２９とは別部品とされてボールホルダ２９に隣接されたバネホルダ２７ｅに保持させて先端をガイド穴２９ｃ内に突出させる。ガイド穴２９ｃはダイヤル２４の回転方向においてバネホルダ２７ｅ側に向かって徐々に広がるテーパ形状とする。【選択図】図６
2015118760.tif 000002
【特許請求の範囲】
【請求項１】
ダイヤルに周方向に配列形成された凹凸にコイルバネによってボールを押し付ける構造とされたダイヤルスイッチのクリック機構であって、
前記ボールはボールホルダに貫通形成されたガイド穴に収容され、
前記コイルバネは前記ボールホルダとは別部品とされて前記ボールホルダに隣接されたバネホルダに保持されて先端が前記ガイド穴内に突出され、
前記ガイド穴は前記ダイヤルの回転方向において前記バネホルダ側に向かって徐々に広がるテーパ形状とされていることを特徴とするダイヤルスイッチのクリック機構。
【請求項２】
ダイヤルに周方向に配列形成された凹凸にコイルバネによってボールを押し付ける構造とされたダイヤルスイッチのクリック機構であって、
前記ボールはボールホルダに貫通形成されたガイド穴に収容され、
前記コイルバネは前記ボールホルダとは別部品とされて前記ボールホルダに隣接されたバネホルダに保持されて先端が前記ガイド穴内に突出され、
前記ガイド穴は前記ダイヤルの回転軸方向において前記バネホルダ側に向かって徐々に広がるテーパ形状とされていることを特徴とするダイヤルスイッチのクリック機構。
【請求項３】
ダイヤルに周方向に配列形成された凹凸にコイルバネによってボールを押し付ける構造とされたダイヤルスイッチのクリック機構であって、
前記ボールはボールホルダに貫通形成されたガイド穴に収容され、
前記コイルバネは前記ボールホルダとは別部品とされて前記ボールホルダに隣接されたバネホルダに保持されて先端が前記ガイド穴内に突出され、
前記ガイド穴は前記バネホルダ側に向かって徐々に径が広がるテーパ形状とされていることを特徴とするダイヤルスイッチのクリック機構。
【請求項４】
請求項１乃至３記載のいずれかのダイヤルスイッチのクリック機構において、
前記バネホルダと反対側における前記ガイド穴の径は、前記ボールの径より小とされていることを特徴とするダイヤルスイッチのクリック機構。
【請求項５】
請求項１乃至４記載のいずれかのダイヤルスイッチのクリック機構において、
前記コイルバネは前記バネホルダに形成された保持穴に収容されて保持され、
前記保持穴の内周面と前記コイルバネの外周との間には隙間がないことを特徴とするダイヤルスイッチのクリック機構。
【発明の詳細な説明】
【技術分野】
【０００１】
この発明はダイヤルスイッチにおいてダイヤルの回転操作時にクリック感触（操作感触）を操作者に与えるクリック機構に関する。
【背景技術】
【０００２】
図９はこの種のクリック機構の従来例として特許文献１に記載されている構成を示したものである。図９中、１１はダイヤルを示し、１２はボール保持部を示す。ダイヤル１１の内周部には谷状の凹部１１ａと山状の凸部１１ｂが交互に配設されている。
【０００３】
ボール保持部１２はダイヤル１１の凹部１１ａ，凸部１１ｂに対向する位置に配設されている。ボール保持部１２には導電ボール１３と、導電ボール１３を開口部１２ａに向けて付勢する導電バネ１４が配されている。ボール保持部１２は非導電性の合成樹脂部材で形成されている。
【０００４】
ボール保持部１２には第１のボールガイドである開口部１２ａと、開口部１２ａに対して凹凸部１１ａ，１１ｂの反対側に向けて延びる第２のボールガイドとなるボール支持穴部１２ｂとが設けられている。開口部１２ａは導電ボール１３に対して隙間の少ない精密嵌合形状の開口であり、導電ボール１３がダイヤル１１の凹部１１ａに嵌入した状態で導電ボール１３の中心部のみを保持する薄い開口部となっている。
【０００５】
ボール支持穴部１２ｂには凹部１２ｃ〜１２ｅが設けられている。各凹部１２ｃ〜１２ｅにはスイッチ基板１５に固着されたコモン接片１６ｃ及びスイッチ接片１６ａ，１６ｂが挿入されるものとなっている。スイッチ接片１６ａと１６ｂで形成される壁面の間隔と導電ボール１３は隙間のある遊嵌状態となっている。
【０００６】
このクリック機構ではダイヤル１１の回転に伴い、凹凸部１１ａ，１１ｂで駆動される導電ボール１３と導電バネ１４によってクリック感触が得られるものとなっている。
【０００７】
また、例えばダイヤル１１が時計回りに回転された場合には、導電ボール１３が凸部１１ｂによって押されてスイッチ接片１６ａ方向に移動してスイッチ接片１６ａと当接した後、反対のスイッチ接片１６ｂ方向に移動してスイッチ接片１６ｂと当接することによりスイッチ接片１６ａ，１６ｂの出力が順次得られ、反時計回りに回転された場合には、これとは逆にスイッチ接片１６ｂ，１６ａの出力が順次得られるものとなっており、このスイッチ接片１６ａ，１６ｂの出力によりダイヤル１１の回転方向を検出することができるものとなっている。
【先行技術文献】
【特許文献】
【０００８】
【特許文献１】特開２０００−１６４０７２号公報
【発明の概要】
【発明が解決しようとする課題】
【０００９】
上述したクリック機構はボール保持部１２がスイッチ基板１５で蓋されて、それらで構成される内部空間に導電ボール１３及び導電バネ１４が収容保持される構造となっており、ボール保持部１２の開口部１２ａにおいても一面はスイッチ基板１５によって構成されている。
【００１０】
しかるに、このような構造では各部品の精度を考慮する必要があり、つまり各部品の寸法ばらつきを考慮して最悪でも導電ボール１３がボール保持部１２とスイッチ基板１５とで挟み込まれて動きが阻害されることがないようにする必要がある。それゆえ、導電ボール１３が開口部１２ａに位置し、ダイヤル１１の凹部１１ａに嵌入している状態でもダイヤル１１の回転軸方向において導電ボール１３ががたつくといった状況が生じうるものとなっており、このような導電ボール１３のがたつきは品質及びダイヤル１１の操作感触の点で問題があるものとなっていた。
【００１１】
この発明の目的はこの問題に鑑み、ダイヤルに形成された凹凸にボールを押し付ける構造のクリック機構において、ボールが凹凸の凹部に位置している状態でがたつきが生じないようにしたダイヤルスイッチのクリック機構を提供することにある。
【課題を解決するための手段】
【００１２】
請求項１の発明によれば、ダイヤルに周方向に配列形成された凹凸にコイルバネによってボールを押し付ける構造とされたダイヤルスイッチのクリック機構において、ボールはボールホルダに貫通形成されたガイド穴に収容され、コイルバネはボールホルダとは別部品とされてボールホルダに隣接されたバネホルダに保持されて先端がガイド穴内に突出され、ガイド穴はダイヤルの回転方向においてバネホルダ側に向かって徐々に広がるテーパ形状とされる。
【００１３】
請求項２の発明によれば、ダイヤルに周方向に配列形成された凹凸にコイルバネによってボールを押し付ける構造とされたダイヤルスイッチのクリック機構において、ボールはボールホルダに貫通形成されたガイド穴に収容され、コイルバネはボールホルダとは別部品とされてボールホルダに隣接されたバネホルダに保持されて先端がガイド穴内に突出され、ガイド穴はダイヤルの回転軸方向においてバネホルダ側に向かって徐々に広がるテーパ形状とされる。
【００１４】
請求項３の発明によれば、ダイヤルに周方向に配列形成された凹凸にコイルバネによってボールを押し付ける構造とされたダイヤルスイッチのクリック機構において、ボールはボールホルダに貫通形成されたガイド穴に収容され、コイルバネはボールホルダとは別部品とされてボールホルダに隣接されたバネホルダに保持されて先端がガイド穴内に突出され、ガイド穴はバネホルダ側に向かって徐々に径が広がるテーパ形状とされる。
【００１５】
請求項４の発明によれば、請求項１乃至３のいずれかの発明において、バネホルダと反対側におけるガイド穴の径は、ボールの径より小とされる。
【００１６】
請求項５の発明によれば、請求項１乃至４のいずれかの発明において、コイルバネはバネホルダに形成された保持穴に収容されて保持され、保持穴の内周面とコイルバネの外周との間には隙間がないものとされる。
【発明の効果】
【００１７】
この発明によれば、ボールはボールホルダに貫通形成されたガイド穴に収容され、ガイド穴はボールを押し付けるコイルバネを保持するバネホルダ側に向かって徐々に広がるテーパ形状とされているため、ボールがバネホルダとは反対側のボールホルダの先端に位置し、ダイヤルに形成された凹凸の凹部に位置する状態で、ボールにがたつきが生じないようにすることを単にガイド穴の先端の径を選定するだけで容易に実現することができ、よってボールががたつかず、操作感触に優れたクリック機構を容易に得ることができる。
【００１８】
加えて、ダイヤルの回転に伴い、ボールがダイヤルの径方向に移動する際にはガイド穴がテーパ形状とされているため、ボールとボールホルダの摩擦を大幅に低減することができ、よってボールの移動がなめらかとなり、その点でも操作感触、性能に優れたクリック機構を得ることができる。
【図面の簡単な説明】
【００１９】
【図１】Ａはこの発明によるクリック機構の一実施例を備えたダイヤルスイッチを示す平面図、Ｂはその正面図。
【図２】図１ＡのＣＣ線断面図。
【図３】図１に示したダイヤルスイッチの上方から見た分解斜視図。
【図４】図１に示したダイヤルスイッチの下方から見た分解斜視図。
【図５】Ａは図３におけるボールホルダの正面図、Ｂはその右側面図、Ｃはその背面図、ＤはＡのＦＦ線断面図、ＥはＡのＧＧ線断面図。
【図６】Ａは図２に示したＤＤ線におけるダイヤルスイッチの断面図、ＢはＡに対しダイヤルが回転された状態を示す断面図。
【図７】Ａはボールホルダの他の形状例（その１）を示す正面図、Ｂはその右側面図、Ｃはその背面図、ＤはＡのＦＦ線断面図、ＥはＡのＧＧ線断面図。
【図８】Ａはボールホルダの他の形状例（その２）を示す正面図、Ｂはその右側面図、Ｃはその背面図、ＤはＡのＦＦ線断面図、ＥはＡのＧＧ線断面図。
【図９】クリック機構の従来例を示す斜視図。
【発明を実施するための形態】
【００２０】
この発明の実施形態を図面を参照して実施例により説明する。
【００２１】
図１はこの発明によるクリック機構の一実施例を備えたダイヤルスイッチの外観を示したものであり、図２はその断面構造を示したものである。また、図３及び４は各部に分解して示したものである。ダイヤルスイッチは、金属プレート２１と、両面テープ２２と、フレキシブルプリント配線板２３と、ダイヤル２４と、接点部材２５と、ねじ２６と、ベース２７と、ねじ２８と、ボールホルダ２９と、ボール３１と、コイルバネ３２とによって構成されている。
【００２２】
金属プレート２１は方形状をなし、その４隅にはダイヤルスイッチ取り付け用の穴２１ａが形成されている。また、中央にはベース２７の位置決め用及び取り付け用の穴２１ｂ，２１ｃがそれぞれ２つ形成されている。
【００２３】
フレキシブルプリント配線板２３は角が丸められた方形部２３ａと、方形部２３ａから延長形成されたケーブル部２３ｂとよりなる。方形部２３ａにはロータリエンコーダ用接点をなすＡ相パターン２３ｃ、ＧＮＤパターン２３ｄ、Ｂ相パターン２３ｅが同心円上に形成されている。なお、フレキシブルプリント配線板２３及び両面テープ２２には金属プレート２１の穴２１ｂ，２１ｃに対応して穴２３ｆ，２３ｇ及び２２ａ，２２ｂがそれぞれ形成されている。
【００２４】
ダイヤル２４は環状をなし、その中央開口２４ａを囲む内周面には凹凸２４ｂが周方向に配列されて形成されている。ダイヤル２４の上面２４ｃの内周側には一段低い段部２４ｄが形成されており、段部２４ｄには中央開口２４ａを囲むように突起２４ｅが環状に形成されている。
【００２５】
一方、ダイヤル２４の下面２４ｆの外周側には突条２４ｇが環状に形成されており、この突条２４ｇの内側において下面２４ｆにはボス２４ｈが２本突出形成され、これらボス２４ｈ間にねじ穴（図４では隠れて見えない）が形成されている。なお、ダイヤル２４の外周面にはダイヤル２４の回転軸方向と平行に延びるスリット２４ｉが周方向に配列されて形成されている。
【００２６】
接点部材２５は基部２５ａと、基部２５ａの一端から突出形成された３つの接触子２５ｂとを有する。基部２５ａには取り付け用の穴２５ｃと２つの位置決め用の穴２５ｄがダイヤル２４のねじ穴及びボス２４ｈに対応して形成されている。
【００２７】
ベース２７は円筒部２７ａと、円筒部２７ａの一端（上端）を蓋する円板部２７ｂとよりなり、円板部２７ｂは円筒部２７ａより大径とされている。円板部２７ｂの外周側における周方向一箇所には円筒部２７ａの内部空間と連通する開口２７ｃが形成されており、この開口２７ｃが形成されている位置と対応して円筒部２７ａには窓２７ｄが形成されている。
【００２８】
ベース２７の円板部２７ｂの内面側には円筒部２７ａ内に位置するようにバネホルダ２７ｅが一体形成されている。バネホルダ２７ｅはブロック状をなし、開口２７ｃと同一半径上において図２に示したようにその半径方向に延伸されて開口２７ｃの内側に、つまり円板部２７ｂの中心側に形成されている。バネホルダ２７ｅの一面は開口２７ｃに位置して窓２７ｄと対向されており、このバネホルダ２７ｅの一面に保持穴２７ｆが形成されている。保持穴２７ｆは円板部２７ｂの半径方向に延伸して形成されている。
【００２９】
ベース２７の円板部２７ｂの外面（上面）には開口２７ｃを囲んで一段低い凹部２７ｇが形成されている。凹部２７ｇは略方形状をなし、この凹部２７ｇにおける開口２７ｃの内側に位置する部分にはボス２７ｈが２本突出形成されている。なお、図３ではボス２７ｈはその先端が熱かしめされた状態として示している。
【００３０】
一方、ベース２７の円筒部２７ａの内周面には半円状に突出して２つの、肉厚部２７ｉが互いに対向して形成され、さらに台形状に突出して２つの肉厚部２７ｊが互いに対向して形成されており、この肉厚部２７ｉが形成されている部分において円筒部２７ａの下端面にはねじ穴２７ｋが２つ形成され、さらに肉厚部２７ｊが形成されている部分において円筒部２７ａの下端面にはボス２７ｍが２本突出形成されている。
【００３１】
ボールホルダ２９は平板部２９ａと、平板部２９ａの下面に突出形成された保持部２９ｂとよりなる。保持部２９ｂには平板部２９ａの板面と平行方向にガイド穴２９ｃが貫通形成されている。平板部２９ａはベース２７に形成されている凹部２７ｇに嵌まり込む略方形状をなし、その一辺寄りにはベース２７の２本のボス２７ｈと対応して穴２９ｄが２つ形成されている。
【００３２】
図５はボールホルダ２９の形状詳細を示したものであり、ガイド穴２９ｃはその一端側が円形とされており、平板部２９ａの板面と平行方向において円形とされた一端から他端に向かって穴が徐々に広がるテーパ形状を有するものとされている。なお、図５に示すようにガイド穴２９ｃの円形とされた一端側にはわずかな長さ（深さ）の円形開口部２９ｅが設けられている。
【００３３】
各部の組み立ては以下のようにして行われる。
【００３４】
フレキシブルプリント配線板２３は両面テープ２２によって金属プレート２１上に接着固定される。この際、金属プレート２１の穴２１ｂ，２１ｃの位置とフレキシブルプリント配線板２３の穴２３ｆ，２３ｇ及び両面テープ２２の穴２２ａ，２２ｂの位置がそれぞれ一致される。
【００３５】
接点部材２５はダイヤル２４の下面２４ｆに取り付けられる。取り付けはねじ止めにより行われ、ねじ２６を接点部材の穴２５ｃに通し、ダイヤル２４のねじ穴にねじ込むことによって行われる。この際、ダイヤル２４の２本のボス２４ｈが接点部材２５の２つの穴２５ｄにそれぞれ挿入されて位置決めされる。
【００３６】
ベース２７の保持穴２７ｆにコイルバネ３２を挿入し、ボールホルダ２９のガイド穴２９ｃにボール３１を入れる。ガイド穴２９ｃの円形開口部２９ｅの径はこの例ではボール３１の径よりわずかに小とされており、ボール３１が円形開口部２９ｅから抜け出ることはない。
【００３７】
ボール３１を収容保持したボールホルダ２９をベース２７に組み込む。組み込みはボールホルダ２９の保持部２９ｂをベース２７の開口２７ｃに挿入し、平板部２９ａをベース２７の凹部２７ｇに嵌め込むことによって行われる。この際、ベース２７の２本のボス２７ｈはボールホルダ２９の２つの穴２９ｄにそれぞれ通され、先端が熱かしめされることによってボールホルダ２９はベース２７に固定される。
【００３８】
ボールホルダ２９の保持部２９ｂはベース２７のバネホルダ２７ｅの保持穴２７ｆが形成された一面に隣接して位置し、窓２７ｄを介して外部に臨む状態となる。バネホルダ２７ｅに保持されているコイルバネ３２の先端はボールホルダ２９のガイド穴２９ｃ内に位置し、ボール３１を円形開口部２９ｅ側に押し付ける。
【００３９】
次に、ベース２７をフレキシブルプリント配線板２３上に搭載固定する。この際、ベース２７の円筒部２７ａをダイヤル２４の中央開口２４ａに挿入し、ベース２７の回りにダイヤル２４を位置させた状態でベース２７をフレキシブルプリント配線板２３上に固定する。固定はねじ止めによって行われ、２本のねじ２８を金属プレート２１、両面テープ２２、フレキシブルプリント配線板２３の各穴２１ｃ，２２ｂ，２３ｇに順次挿入し、ベース２７のねじ穴２７ｋにねじ込むことによって行われる。なお、この際、ベース２７の２本のボス２７ｍがフレキシブルプリント配線板２３、両面テープ２２、金属プレート２１の各穴２３ｆ，２２ａ，２１ｂに順次挿入されることによってベース２７は位置決めされる。
【００４０】
以上により組み立てが完了し、図１及び図２に示したダイヤルスイッチが完成する。
【００４１】
ダイヤル２４はベース２７の円板部２７ｂによって抜け止めされており、接点部材２５の３つの接触子２５ｂはそれぞれフレキシブルプリント配線板２３に形成されているＡ相パターン２３ｃ、ＧＮＤパターン２３ｄ及びＢ相パターン２３ｅ上に位置される。ボール３１はコイルバネ３２によりダイヤル２４の内周面の凹凸２４ｂに押し付けられる。
【００４２】
ダイヤル２４の上面２４ｃ側の段部２４ｄの突起２４ｅの先端はベース２７の円板部２７ｂと接触し、ダイヤル２４の下面２４ｆの突条２４ｇの先端（下端）はフレキシブルプリント配線板２３と接触した状態となる。このように接触部として突起２４ｅ及び突条２４ｇを設けたことによりダイヤル２４の回転操作時の摩擦を低減することができるものとなっている。
【００４３】
ダイヤル２４を回転操作することにより接触子２５ｂがＡ相パターン２３ｃ、ＧＮＤパターン２３ｄ、Ｂ相パターン２３ｅよりなるロータリエンコーダ用接点上を移動し、これによりダイヤル２４の回転が検出される。
【００４４】
一方、ダイヤル２４の回転に伴い、ダイヤル２４の内周面に形成されている凹凸２４ｂによってボール３１がダイヤル２４の径方向に動き、凹凸２４ｂで駆動されるボール３１とコイルバネ３２によってクリック感触が得られるものとなっている。
【００４５】
図６Ａはダイヤル２４の静止状態を示したものであり、ボール３１はコイルバネ３２によって押されてダイヤル２４の凹凸２４ｂの凹部に嵌まり込んだ状態となっている。図６Ｂはダイヤル２４を矢印方向に１０°回転した状態を示したものであり、この状態ではボール３１はダイヤル２４の凹凸２４ｂの凸部に丁度位置し、凸部によってボール３１がダイヤル２４の中心方向に押し込まれてコイルバネ３２が圧縮された状態となる。この例では凹凸２４ｂの凹部は２０°ピッチで形成されている。
【００４６】
この例では上述したように、ダイヤルスイッチのクリック機構において、ボール３１をボールホルダ２９のガイド穴２９ｃに収容し、つまり一部品内に収容保持し、コイルバネ３２はボールホルダ２９とは別部品のベース２７に一体形成したバネホルダ２７ｅに保持されるものとなっており、ボールホルダ２９のガイド穴２９ｃは図６に示したようにダイヤル２４の回転方向においてバネホルダ２７ｅ側に向かって徐々に広がるテーパ形状をなすものとされ、またバネホルダ２７ｅと反対側におけるガイド穴２９ｃの径（円形開口部２９ｅの径）はボール３１の径よりわずかに小とされている。
【００４７】
よって、ボール３１がガイド穴２９ｃの先端の円形開口部２９ｅに位置してダイヤル２４に形成された凹凸２４ｂの凹部に位置する状態（図６Ａに示した状態）では、ボール３１にがたつきが生じることはなく、その点で操作感触に優れたクリック機構を得ることができる。
【００４８】
また、ガイド２９ｃはテーパ形状とされているため、ボール３１がダイヤル２４の径方向に移動する際のボール３１とボールホルダ２９の摩擦を大幅に低減することができ、ボール３１の移動がなめらかとなるため、この点でも操作感触に優れたクリック機構を得ることができる。なお、ボールホルダ２９とバネホルダ２７ｅとを別体とし、ガイド穴２９ｃはボールホルダ２９に貫通形成されているため、テーパ加工も容易に行うことができる。
【００４９】
加えて、バネホルダ２７ｅの保持穴２７ｆの内周面とコイルバネ３２の外周との間に隙間がないようにすることにより、コイルバネ３２のがたつきも防止することができ、かつボール３１に対する押し付け力を良好かつ安定して得ることができる。
【００５０】
上述した実施例ではボールホルダ２９のガイド穴２９ｃはダイヤル２４の回転方向においてテーパ形状を有し、ダイヤル２４の回転軸方向にはテーパ形状を有さないものとなっているが、ガイド穴２９ｃの形状はこれに限らず、他の形状とすることもできる。
【００５１】
図７及び図８はガイド穴の他の形状例を示したものであり、図７に示したボールホルダ２９’のガイド穴２９ｃ’はダイヤル２４の回転軸方向において円形開口部２９ｅと反対の後端側（バネホルダ２７ｅ側）に向かって徐々に広がるテーパ形状を有し、ダイヤル２４の回転方向にはテーパ形状を有さないものとなっている。また、図８に示したボールホルダ２９’’のガイド穴２９ｃ’’は円形開口部２９ｅと反対の後端側に向かって徐々に径が広がるテーパ形状を有するものとなっている。ボールホルダ２９に替え、これらボールホルダ２９’，２９’’を用いることもできる。
【００５２】
なお、円形開口部２９ｅの径はボール３１の径よりわずかに小さいものとしているが、例えばボール３１の径と同一径としてもよい。
【符号の説明】
【００５３】
１１  ダイヤル                          １１ａ  凹部
１１ｂ  凸部                            １２  ボール保持部
１２ａ  開口部                          １２ｂ  ボール支持穴部
１２ｃ〜１２ｅ  凹部                    １３  導電ボール
１４  導電バネ                          １５  スイッチ基板
１６ａ，１６ｂ  スイッチ接片            １６ｃ  コモン接片
２１  金属プレート                      ２１ａ〜２１ｃ  穴
２２  両面テープ                        ２２ａ，２２ｂ  穴
２３  フレキシブルプリント配線板        ２３ａ  方形部
２３ｂ  ケーブル部                      ２３ｃ  Ａ相パターン
２３ｄ  ＧＮＤパターン                  ２３ｅ  Ｂ相パターン
２３ｆ，２３ｇ  穴                      ２４  ダイヤル
２４ａ  中央開口                        ２４ｂ  凹凸
２４ｃ  上面                            ２４ｄ  段部
２４ｅ  突起                            ２４ｆ  下面
２４ｇ  突条                            ２４ｈ  ボス
２４ｉ  スリット                        ２５  接点部材
２５ａ  基部                            ２５ｂ  接触子
２５ｃ，２５ｄ  穴                      ２６  ねじ
２７  ベース                            ２７ａ  円筒部
２７ｂ  円板部                          ２７ｃ  開口
２７ｄ  窓                              ２７ｅ  バネホルダ
２７ｆ  保持穴                          ２７ｇ  凹部
２７ｈ  ボス                            ２７ｉ，２７ｊ  肉厚部
２７ｋ  ねじ穴                          ２７ｍ  ボス
２８  ねじ                              ２９，２９’，２９’’  ボールホルダ
２９ａ  平板部                          ２９ｂ  保持部
２９ｃ，２９ｃ’，２９ｃ’’  ガイド穴    ２９ｄ  穴
２９ｅ  円形開口部                      ３１  ボール
３２  コイルバネ
【図１】
2015118760.tif 000003
【図２】
2015118760.tif 000004
【図３】
2015118760.tif 000005
【図４】
2015118760.tif 000006
【図５】
2015118760.tif 000007
【図６】
2015118760.tif 000008
【図７】
2015118760.tif 000009
【図８】
2015118760.tif 000010
【図９】
2015118760.tif 000011